【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
式：
−［−（Ｒ１）ｎ−（Ｚ−（Ｒ２）ｍ−）ｐ−（−Ｓｉ（Ｒ）２−Ｖｒ−）ｓ−］ｑ−
（式中、
ｎ＝０または１；
ｍ＝０または１；
ｐ＝１〜１００，０００；
ｒ＝０〜１００，０００；
ｓ＝１〜１００，０００；
ｑ＝１〜１００，０００；
Ｒ１およびＲ２はそれぞれ独立して、場合により複素原子を含む、飽和もしくは不飽和脂肪族基、芳香族基、またはそれらの組み合わせであり；
Ｚは−Ｃ（Ｒ３）２−であり、ここで、各Ｒ３は独立して、場合により複素原子を含む、飽和もしくは不飽和の脂肪族基、芳香族基、またはそれらの組み合わせであり、−Ｃ（Ｒ３）２−内の２つのＲ３基は場合により結合して環を形成することができ；
各Ｒは独立して、場合により複素原子を含む、飽和もしくは不飽和脂肪族基、芳香族基、またはそれらの組み合わせであり；そして
Ｖは、−Ｏ−Ｓｉ（Ｒ）２−またはＲ１である）
の基を含むソフトセグメントを含んでいるポリマーを含んでなる、医療デバイス。
【請求項２】
ｐ＝１〜５０００である、請求項１に記載の医療デバイス。
【請求項３】
ｐ＝２〜１２である、請求項２に記載の医療デバイス。
【請求項４】
Ｒ１およびＲ２がそれぞれ独立して、直鎖アルキレン基、アリーレン基、またはそれらの組み合わせである、請求項１に記載の医療デバイス。
【請求項５】
Ｒ１およびＲ２がそれぞれ独立して、直鎖アルキレン基である、請求項４に記載の医療デバイス。
【請求項６】
Ｒ１およびＲ２がそれぞれ独立して、炭素原子を１００個まで含有する基である、請求項１に記載の医療デバイス。
【請求項７】
Ｒ１およびＲ２がそれぞれ独立して、炭素原子を２０個まで含有する基である、請求項６に記載の医療デバイス。
【請求項８】
Ｒ１およびＲ２がそれぞれ独立して、炭素原子を２〜２０個含有する基である、請求項７に記載の医療デバイス。
【請求項９】
各Ｒ３が独立して、場合により複素原子を含む、直鎖アルキル基、アリール基、またはそれらの組み合わせである、請求項１に記載の医療デバイス。
【請求項１０】
各Ｒ３が独立して、場合により複素原子を含む、直鎖アルキル基である、請求項９に記載の医療デバイス。
【請求項１１】
各Ｒ３が独立して、炭素原子を１〜２０個含有する直鎖アルキル基である、請求項１０に記載の医療デバイス。
【請求項１２】
ポリマーが、ウレタン基、尿素基、またはそれらの組み合わせをさらに含む、請求項１に記載の医療デバイス。
【請求項１３】
ポリマーが、セグメント化ポリウレタンを含む、請求項１２に記載の医療デバイス。
【請求項１４】
ポリマーが、生体材料である、請求項１に記載の医療デバイス。
【請求項１５】
ポリマーが、エーテル、エステル、およびカーボネート結合を実質的に含まない、請求項１４に記載の医療デバイス。
【請求項１６】
ポリマーが、線状である、枝分かれしている、または架橋している、請求項１に記載の医療デバイス。
【請求項１７】
式：
Ｙ−［−（Ｒ１）ｎ−（Ｚ−（Ｒ２）ｍ−）ｐ−（−Ｓｉ（Ｒ）２−Ｖｒ−）ｓ−］ｑ−Ｒ５−Ｙ
（式中、
各Ｙは独立して、ＯＨまたはＮＲ４Ｈであり；
ｎ＝０または１；
ｍ＝０または１；
ｐ＝１〜１００，０００；
ｒ＝０〜１００，０００；
ｓ＝１〜１００，０００；
ｑ＝１〜１００，０００；
Ｒ１、Ｒ２およびＲ５はそれぞれ独立して、場合により複素原子を含む、飽和もしくは不飽和脂肪族基、芳香族基、またはそれらの組み合わせであり；
Ｚは−Ｃ（Ｒ３）２−であり、ここで、各Ｒ３は独立して、場合により複素原子を含む、飽和もしくは不飽和脂肪族基、芳香族基、またはそれらの組み合わせであり、−Ｃ（Ｒ３）２−内の２つのＲ３基は、場合により結合して環を形成することができ；
各Ｒは独立して、場合により複素原子を含む、飽和もしくは不飽和脂肪族基、芳香族基、またはそれらの組み合わせであり；そして
各Ｒ４は独立して、Ｈまたは飽和もしくは不飽和脂肪族基、芳香族基、またはそれらの組み合わせであり；そして
Ｖは、−Ｏ−Ｓｉ（Ｒ）２−またはＲ１である）
の化合物から製造されるソフトセグメントを含むポリマーを含んでなる医療デバイス。
【請求項１８】
ｐ＝１〜１００である、請求項１７に記載の医療デバイス。
【請求項１９】
ｐ＝２〜１２である、請求項１８に記載の医療デバイス。
【請求項２０】
式Ｙ−［−（Ｒ１）ｎ−（Ｚ−（Ｒ２）ｍ−）ｐ−（−Ｓｉ（Ｒ）２−Ｖｒ−）ｓ−］ｑ−Ｒ５−Ｙの化合物の数平均分子量が約１００，０００ｇ／モル以下である、請求項１７に記載の医療デバイス。
【請求項２１】
式Ｙ−［−（Ｒ１）ｎ−（Ｚ−（Ｒ２）ｍ−）ｐ−（−Ｓｉ（Ｒ）２−Ｖｒ−）ｓ−］ｑ−Ｒ５−Ｙの化合物の数平均分子量が約１０００ｇ／モル〜約１５００ｇ／モルである、請求項２０に記載の医療デバイス。
【請求項２２】
Ｒ１およびＲ２がそれぞれ独立して、直鎖アルキレン基、アリーレン基、またはそれらの組み合わせである、請求項１７に記載の医療デバイス。
【請求項２３】
Ｒ１およびＲ２がそれぞれ独立して、直鎖アルキレン基である、請求項２２に記載の医療デバイス。
【請求項２４】
Ｒ１およびＲ２がそれぞれ独立して、炭素原子を１００個まで含有する基である、請求項１７に記載の医療デバイス。
【請求項２５】
Ｒ１およびＲ２がそれぞれ独立して、炭素原子を２０個まで含有する基である、請求項２４に記載の医療デバイス。
【請求項２６】
Ｒ１およびＲ２がそれぞれ独立して、炭素原子を２〜２０個含有する基である、請求項２５に記載の医療デバイス。
【請求項２７】
各Ｒ２が少なくとも２つの炭素原子を含む、請求項１７に記載の医療デバイス。
【請求項２８】
各Ｒ３が独立して、場合により複素原子を含む、直鎖アルキル基、アリール基、またはそれらの組み合わせである、請求項１７に記載の医療デバイス。
【請求項２９】
各Ｒ３が独立して、場合により複素原子を含む、直鎖アルキル基である、請求項２８に記載の医療デバイス。
【請求項３０】
各Ｒ３が独立して、炭素原子を１〜２０個含有する直鎖アルキル基である、請求項２９に記載の医療デバイス。
【請求項３１】
ポリマーが、ウレタン基、尿素基、またはそれらの組み合わせをさらに含む、請求項１７に記載の医療デバイス。
【請求項３２】
ポリマーが、セグメント化ポリウレタンを含む、請求項３１に記載の医療デバイス。
【請求項３３】
ポリマーが、生体材料である、請求項１７に記載の医療デバイス。
【請求項３４】
ポリマーが、エーテル、エステル、およびカーボネート結合を実質的に含まない、請求項３３に記載の医療デバイス。
【請求項３５】
各ＹがＯＨである、請求項１７に記載の医療デバイス。
【請求項３６】
各Ｒ４が独立して、Ｈまたは直鎖アルキル基である、請求項１７に記載の医療デバイス。
【請求項３７】
各Ｒ４が独立して、炭素原子を１〜２０個含有する直鎖アルキル基である、請求項３６に記載の医療デバイス。
【請求項３８】
各Ｒ４がＨである、請求項３６に記載の医療デバイス。
【請求項３９】
ポリマーが、線状である、枝分かれしている、または架橋している、請求項１７に記載の医療デバイス。
【請求項４０】
式：
−［−（Ｒ１）ｎ−（Ｚ−（Ｒ２）ｍ−）ｐ−（−Ｓｉ（Ｒ）２−Ｖｒ−）ｓ−］ｑ−
（式中、
ｎ＝０または１；
ｍ＝０または１；
ｐ＝１〜１００，０００；
ｒ＝０〜１００，０００；
ｓ＝１〜１００，０００；
ｑ＝１〜１００，０００；
Ｒ１およびＲ２はそれぞれ独立して、場合により複素原子を含む、飽和もしくは不飽和脂肪族基、芳香族基、またはそれらの組み合わせであり；
Ｚは−Ｃ（Ｒ３）２−であり、ここで、各Ｒ３は独立して、場合により複素原子を含む、飽和もしくは不飽和脂肪族基、芳香族基、またはそれらの組み合わせであり、−Ｃ（Ｒ３）２−内の２つのＲ３基は、場合により結合して環を形成することができ；
各Ｒは独立して、場合により複素原子を含む、飽和もしくは不飽和脂肪族基、芳香族基、またはそれらの組み合わせであり；そして
Ｖは、−Ｏ−Ｓｉ（Ｒ）２−またはＲ１である）
の基を含むソフトセグメントを含んでなるポリマー。
【請求項４１】
ｐ＝１〜５０００である、請求項４０に記載のポリマー。
【請求項４２】
ｐ＝２〜１２である、請求項４０に記載のポリマー。
【請求項４３】
Ｒ１およびＲ２がそれぞれ独立して、直鎖アルキレン基、アリーレン基、またはそれらの組み合わせである、請求項４０に記載のポリマー。
【請求項４４】
Ｒ１およびＲ２がそれぞれ独立して、直鎖アルキレン基である、請求項４３に記載のポリマー。
【請求項４５】
Ｒ１およびＲ２がそれぞれ独立して、炭素原子を２〜２０個含有する基である、請求項４０に記載のポリマー。
【請求項４６】
各Ｒ３が独立して、場合により複素原子を含む、直鎖アルキル基、アリール基、またはそれらの組み合わせである、請求項４０に記載のポリマー。
【請求項４７】
各Ｒ３が独立して、場合により複素原子を含む、直鎖アルキル基である、請求項４６に記載のポリマー。
【請求項４８】
各Ｒ３が独立して、炭素原子を１〜２０個含有する直鎖アルキル基である、請求項４７に記載のポリマー。
【請求項４９】
線状である、枝分かれしている、または架橋している、請求項４０に記載のポリマー。
【請求項５０】
ウレタン基、尿素基、またはそれらの組み合わせと、式：
−［−（Ｒ１）ｎ−（Ｚ−（Ｒ２）ｍ−）ｐ−（−Ｓｉ（Ｒ）２−Ｖｒ−）ｓ−］ｑ−
（式中、
ｎ＝０または１；
ｍ＝０または１；
ｐ＝１〜１００，０００；
ｒ＝０〜１００，０００；
ｓ＝１〜１００，０００；
ｑ＝１〜１００，０００；
Ｒ１およびＲ２はそれぞれ独立して、場合により複素原子を含む、飽和もしくは不飽和脂肪族基、芳香族基、またはそれらの組み合わせであり；
Ｚは−Ｃ（Ｒ３）２−であり、ここで、各Ｒ３は独立して、場合により複素原子を含む、飽和もしくは不飽和脂肪族基、芳香族基、またはそれらの組み合わせであり、−Ｃ（Ｒ３）２−内の２つのＲ３基は、場合により結合して環を形成することができ；
各Ｒは独立して、場合により複素原子を含む、飽和もしくは不飽和脂肪族基、芳香族基、またはそれらの組み合わせであり；そして
Ｖは、−Ｏ−Ｓｉ（Ｒ）２−またはＲ１である）
の基を含むソフトセグメントとを含んでなるポリマー。
【請求項５１】
ｐ＝１〜１００である、請求項５０に記載のポリマー。
【請求項５２】
ｐ＝２〜１２である、請求項５１に記載のポリマー。
【請求項５３】
セグメント化ポリウレタンである、請求項５０に記載のポリマー。
【請求項５４】
生体材料である、請求項５０に記載のポリマー。
【請求項５５】
エーテル、エステル、およびカーボネート結合を実質的に含まない、請求項５４に記載のポリマー。
【請求項５６】
線状である、枝分かれしている、または架橋している、請求項５０に記載のポリマー。
【請求項５７】
式：
Ｙ−［−（Ｒ１）ｎ−（Ｚ−（Ｒ２）ｍ−）ｐ−（−Ｓｉ（Ｒ）２−Ｖｒ−）ｓ−］ｑ−Ｒ５−Ｙ
（式中、
各Ｙは独立して、ＯＨまたはＮＲ４Ｈであり；
ｎ＝０または１；
ｍ＝０または１；
ｐ＝１〜１００，０００；
ｒ＝０〜１００，０００；
ｓ＝１〜１００，０００；
ｑ＝１〜１００，０００；
Ｒ１、Ｒ２およびＲ５はそれぞれ独立して、場合により複素原子を含む、飽和もしくは不飽和脂肪族基、芳香族基、またはそれらの組み合わせであり；
Ｚは−Ｃ（Ｒ３）２−であり、ここで、各Ｒ３は独立して、場合により複素原子を含む、飽和もしくは不飽和脂肪族基、芳香族基、またはそれらの組み合わせであり、−Ｃ（Ｒ３）２−内の２つのＲ３基は、場合により結合して環を形成することができ；
各Ｒは独立して、場合により複素原子を含む、飽和もしくは不飽和脂肪族基、芳香族基、またはそれらの組み合わせであり；そして
各Ｒ４は独立して、Ｈまたは飽和もしくは不飽和脂肪族基、芳香族基、またはそれらの組み合わせであり；そして
Ｖは、−Ｏ−Ｓｉ（Ｒ）２−またはＲ１である）
の化合物から製造されるソフトセグメントを含んでなるポリマー。
【請求項５８】
ｐ＝１〜１００である、請求項５７に記載のポリマー。
【請求項５９】
ｐ＝２〜１２である、請求項５８に記載のポリマー。
【請求項６０】
式Ｙ−［−（Ｒ１）ｎ−（Ｚ−（Ｒ２）ｍ−）ｐ−（−Ｓｉ（Ｒ）２−Ｖｒ−）ｓ−］ｑ−Ｒ５−Ｙの化合物の数平均分子量が約１００，０００ｇ／モル以下である、請求項５７に記載のポリマー。
【請求項６１】
Ｒ１およびＲ２がそれぞれ独立して、直鎖アルキレン基、アリーレン基、またはそれらの組み合わせである、請求項５７に記載のポリマー。
【請求項６２】
Ｒ１およびＲ２がそれぞれ独立して、炭素原子を１００個まで含有する基である、請求項６１に記載のポリマー。
【請求項６３】
Ｒ１およびＲ２がそれぞれ独立して、炭素原子を２０個まで含有する基である、請求項６２に記載のポリマー。
【請求項６４】
Ｒ１およびＲ２がそれぞれ独立して、炭素原子を２〜２０個含有する基である、請求項６３に記載のポリマー。
【請求項６５】
各Ｒ２が少なくとも２つの炭素原子を含む、請求項５７に記載のポリマー。
【請求項６６】
各Ｒ３が独立して、場合により複素原子を含む、直鎖アルキル基、アリール基、またはそれらの組み合わせである、請求項５７に記載のポリマー。
【請求項６７】
各Ｒ３が独立して、炭素原子を１〜２０個含有する直鎖アルキル基である、請求項６６に記載のポリマー。
【請求項６８】
各ＹがＯＨである、請求項５７に記載のポリマー。
【請求項６９】
各Ｒ４が独立して、Ｈまたは直鎖アルキル基である、請求項５７に記載のポリマー。
【請求項７０】
線状である、枝分かれしている、または架橋している、請求項５７に記載のポリマー。
【請求項７１】
式：
Ｙ−［−（Ｒ１）ｎ−（Ｚ−（Ｒ２）ｍ−）ｐ−（−Ｓｉ（Ｒ）２−Ｖｒ−）ｓ−］ｑ−Ｒ５−Ｙ
（式中、
各Ｙは独立して、ＯＨまたはＮＲ４Ｈであり；
ｎ＝０または１；
ｍ＝０または１；
ｐ＝１〜１００，０００；
ｒ＝０〜１００，０００；
ｓ＝１〜１００，０００；
ｑ＝１〜１００，０００；
Ｒ１、Ｒ２およびＲ５はそれぞれ独立して、場合により複素原子を含む、飽和もしくは不飽和脂肪族基、芳香族基、またはそれらの組み合わせであり；
Ｚは−Ｃ（Ｒ３）２−であり、ここで、各Ｒ３は独立して、場合により複素原子を含む、飽和もしくは不飽和脂肪族基、芳香族基、またはそれらの組み合わせであり、−Ｃ（Ｒ３）２−内の２つのＲ３基は、場合により結合して環を形成することができ；
各Ｒは独立して、場合により複素原子を含む、飽和もしくは不飽和脂肪族基、芳香族基、またはそれらの組み合わせであり；そして
各Ｒ４は独立して、Ｈまたは飽和もしくは不飽和脂肪族基、芳香族基、またはそれらの組み合わせであり；そして
Ｖは、−Ｏ−Ｓｉ（Ｒ）２−またはＲ１である）
の化合物。
【請求項７２】
Ｒ１およびＲ２がそれぞれ独立して、直鎖アルキレン基、アリーレン基、またはそれらの組み合わせである、請求項７１に記載の化合物。
【請求項７３】
Ｒ１およびＲ２がそれぞれ独立して、炭素原子を１００個まで含有する基である、請求項７２に記載の化合物。
【請求項７４】
各Ｒ３が独立して、場合により複素原子を含む、直鎖アルキル基、アリール基、またはそれらの組み合わせである、請求項７２に記載の化合物。
【請求項７５】
各ＹがＯＨである、請求項７２に記載の化合物。
【請求項７６】
式：
−［−（Ｒ１）ｎ−（Ｚ−（Ｒ２）ｍ−）ｐ−（−Ｓｉ（Ｒ）２−Ｖｒ−）ｓ−］ｑ−
の基を含むソフトセグメントを含んでなるポリマーの製造方法であって、ヒドロキシルまたはアミン基と反応することができる２つ以上の基を含有する有機化合物を、式：
Ｙ−［−（Ｒ１）ｎ−（Ｚ−（Ｒ２）ｍ−）ｐ−（−Ｓｉ（Ｒ）２−Ｖｒ−）ｓ−］ｑ−Ｒ５−Ｙ
（式中、
各Ｙは独立して、ＯＨまたはＮＲ４Ｈであり；
ｎ＝０または１；
ｍ＝０または１；
ｐ＝１〜１００，０００；
ｒ＝０〜１００，０００；
ｓ＝１〜１００，０００；
ｑ＝１〜１００，０００；
Ｒ１、Ｒ２およびＲ５はそれぞれ独立して、場合により複素原子を含む、飽和もしくは不飽和脂肪族基、芳香族基、またはそれらの組み合わせであり；
Ｚは−Ｃ（Ｒ３）２−であり、ここで、各Ｒ３は独立して、場合により複素原子を含む、飽和もしくは不飽和脂肪族基、芳香族基、またはそれらの組み合わせであり、−Ｃ（Ｒ３）２−内の２つのＲ３基は、場合により結合して環を形成することができ；
各Ｒは独立して、場合により複素原子を含む、飽和もしくは不飽和脂肪族基、芳香族基、またはそれらの組み合わせであり；そして
各Ｒ４は独立して、Ｈまたは飽和もしくは不飽和脂肪族基、芳香族基、またはそれらの組み合わせであり；そして
Ｖは、−Ｏ−Ｓｉ（Ｒ）２−またはＲ１である）
の高分子量出発化合物と化合させることを含む、前記方法。
【請求項７７】
式：
Ｙ−［−（Ｒ１）ｎ−（Ｚ−（Ｒ２）ｍ−）ｐ−（−Ｓｉ（Ｒ）２−Ｖｒ−）ｓ−］ｑ−Ｒ５−Ｙ
（式中、
各Ｙは独立して、ＯＨまたはＮＲ４Ｈであり；
ｎ＝０または１；
ｍ＝０または１；
ｐ＝１〜１００，０００；
ｒ＝０〜１００，０００；
ｓ＝１〜１００，０００；
ｑ＝１〜１００，０００；
Ｒ１、Ｒ２およびＲ５はそれぞれ独立して、場合により複素原子を含む、飽和もしくは不飽和脂肪族基、芳香族基、またはそれらの組み合わせであり；
Ｚは−Ｃ（Ｒ３）２−であり、ここで、各Ｒ３は独立して、場合により複素原子を含む、飽和もしくは不飽和脂肪族基、芳香族基、またはそれらの組み合わせであり、−Ｃ（Ｒ３）２−内の２つのＲ３基は、場合により結合して環を形成することができ；
各Ｒは独立して、場合により複素原子を含む、飽和もしくは不飽和脂肪族基、芳香族基、またはそれらの組み合わせであり；そして
各Ｒ４は独立して、Ｈまたは飽和もしくは不飽和脂肪族基、芳香族基、またはそれらの組み合わせであり；そして
Ｖは、−Ｏ−Ｓｉ（Ｒ）２−またはＲ１である）
の化合物を製造する方法であって、式ＩＩまたはＩＩＩ：
Ｒ１０ＨＣ＝ＣＨ−（Ｒ１１）ｒ’−（−Ｓｉ（Ｒ）２−Ｖｒ−）ｓ−（Ｒ１２）ｓ’−ＣＨ＝ＣＨＲ１３      （ＩＩ）
Ｒ１０ＨＣ＝ＣＨ−（Ｒ１１）ｒ’−Ｚ−（Ｒ１２）ｓ’−ＣＨ＝ＣＨＲ１３      （ＩＩＩ）
（式中、
ｒ、ｓ、Ｖ、ＺおよびＲは上記定義通りであり；
ｒ’＝０または１； 
ｓ’＝０または１； 
Ｒ１０およびＲ１３はそれぞれ独立して、水素、または炭素原子を６個まで含む直鎖、枝分かれ、もしくは環状のアルキル基であり；そして
Ｒ１１およびＲ１２はそれぞれ独立して、飽和脂肪族基、芳香族基、またはそれらの組み合わせである）
のモノマーをアルケン複分解触媒と化合させ、そして場合により真空にすることを含む、前記方法。